(57)【要約】【課題】  家具等の重量物を滑らせて移動させる重量物滑動具において、重量物の移動を行うときに、重量物が滑動具上で不測に滑ったりガタ付いたりすることを皆無にして、安定した容易な移動できるようにすること。【解決手段】  支持した重量物４１を滑動可能にする重量物滑動具１１であって、上記滑動を可能とする滑動具本体１２の上面１２ａに、荷重がかかると圧縮変形させられる柔軟な発泡樹脂製または発泡ゴム製の防滑シート１３が固定された重量物滑動具１１。【選択図】    図４
0003115311.tif 000002
【実用新案登録請求の範囲】
【請求項１】
支持した重量物を滑動可能にする重量物滑動具であって、
上記滑動を可能とする滑動具本体の上面に、荷重がかかると圧縮変形させられる柔軟な発泡樹脂製または発泡ゴム製の防滑シートが固定された
重量物滑動具。
【請求項２】
支持した重量物を滑動可能にする重量物滑動具であって、
上記滑動を可能とする滑動具本体の上面に、荷重がかかると圧縮変形させられる低反発で柔軟な発泡樹脂製または発泡ゴム製の防滑シートが固定された
重量物滑動具。
【請求項３】
前記防滑シートが、面方向に多数の凹凸を有する
請求項１または請求項２に記載の重量物滑動具。
【請求項４】
前記凹凸の凹部が、厚み方向に貫通する貫通孔である
請求項３に記載の重量物滑動具。
【請求項５】
前記凹部または貫通孔の開口面積が、１００ｍｍ２以下である
請求項３または請求項４に記載の重量物滑動具。
【請求項６】
前記凹部または貫通孔が、それぞれ独立して形成された
請求項３から請求項５のうちのいずれか一項に記載の重量物滑動具。
【請求項７】
前記凹部または貫通孔が、市松模様状に配置された
請求項３から請求項６のうちのいずれか一項に記載の重量物滑動具。
【請求項８】
前記滑動具本体が、自己潤滑性を有する単一の成形品からなる
請求項１から請求項７のうちのいずれか一項に記載の重量物滑動具。
【考案の詳細な説明】
【技術分野】
【０００１】
この考案は、たとえば家具などの重量物が容易に移動できるようにするための重量物滑動具に関する。
【背景技術】
【０００２】
このような滑動具としては、下記特許文献１に開示されているものがある。この滑動具は、「摩擦抵抗の大きい上面部材と摩擦抵抗の小さい下面部材よりなるとともに全体が長尺板状に形成され、前記上面部材の上面に多数の突起を形成し、端部に紐通し用の孔を形成した」ものである。そして上記突起は、公報の第５図に明示されているように、大型重量体１２の脚部１３の下端面に２つが当たるくらいの大きさで、縦横に一定間隔おきに配設されている。
【０００３】
滑動具の使用に当たっては、重量物をジャッキ等で適宜持ち上げてから滑動具を挟み込んだあと、孔に取付けた紐を引っ張れば重量物が容易に移動できるというものである。この移動に際して、上記上面部材は合成ゴムからなり摩擦抵抗が大きい上に、上面には複数の突起を有しているので、摩擦抵抗がより大きくなって重量物が滑ることはないと記載されている。
【０００４】
しかし、合成ゴム製の上面部材は、指で押した程度では凹まないくらいに硬いものである。また、合成ゴムの表面は油分や水分を払拭してきれいに保たれていないと却って滑りやすいものである。このため、重量物が滑ってしまうことを全く無くすことはできず、使用中滑ってしまうことが多々あった。
【０００５】
このような不測の滑りは、特に、繰り返して使用したときに起こる。これは、家具などの重量物はその下端にほこりやゴミなどを溜めているのが通常であって、このような重量物を移動しようとして滑動具を重量物の下に差し込めば当然に埃等が上面部材に付着するからである。埃等が上面部材、特に突起の上面に付着すると、突起の材質が合成ゴムである関係上、合成ゴムとの結合が強くなって取れにくくなる。このため、合成ゴムの摩擦抵抗は働かず、重量物の滑りが発生しやすい。
【０００６】
【特許文献１】実開昭６０−８１９０６号公報
【考案の開示】
【考案が解決しようとする課題】
【０００７】
そこでこの考案は、重量物の移動を行うときに、重量物が滑動具上で不測に滑ったりガタ付いたりすることを皆無にして、安定した容易な移動できるようにすることを主たる課題とする。
【課題を解決するための手段】
【０００８】
そのための手段は、支持した重量物を滑動可能にする重量物滑動具であって、上記滑動を可能とする滑動具本体の上面に、荷重がかかると圧縮変形させられる柔軟な発泡樹脂製または発泡ゴム製の防滑シートが固定された重量物活動具である。
【０００９】
別の手段は、支持した重量物を滑動可能にする重量物滑動具であって、上記滑動を可能とする滑動具本体の上面に、荷重がかかると圧縮変形させられる低反発で柔軟な発泡樹脂製または発泡ゴム製の防滑シートが固定された重量物活動具である。
【００１０】
すなわち、重量物滑動具を重量物の下に挟み込むと、重量物の重みによって上面に固定された防滑シートは、圧縮変形させられる。このとき、防滑シートは発泡樹脂製または発泡ゴム製であるので、樹脂またはゴムの表面の摩擦特性に加えて、微細な凹凸や吸盤作用により、荷重がかかっているうちは吸い付くような接触が可能になる。特に、防滑シートが低反発性である場合には、かかる荷重を反発せずに柔軟にしっかりと受けることができ、支持時の安定性がよくなる。このようにして重量物を支持してから、重量物を押したり、重量物滑動具を引っ張ったりして重量物を接触面上で移動する。
【００１１】
重利用物を所望の位置に移動した後は、重量物を若干持ち上げてから重量物滑動具を抜き取る。重量物による荷重から開放された防滑シートは、元の形状に復元する。このとき、たとえ埃等が付着していても、防滑シートの復元時に相互の位置関係が変化するために埃等は外れる。また外れやすい状態になる。このため、繰り返して使用しても、埃等が原因となって不測の滑りが発生するようなことを抑制できる。
【００１２】
ここで、上記の構成要素については次のような態様に構成することができる。  
その態様の一つは、上記防滑シートが、面方向に多数の凹凸を有するものである。  
すなわち、凹凸の凸部分が集中した荷重を受けて摩擦抵抗を高める一方、凹部分で吸盤作用を発生させて、より一層のすべり防止を図ることができる。
【００１３】
態様の他の一つは、上記凹凸の凹部が厚み方向に貫通する貫通孔である。  
すなわち、貫通孔以外の凸部が集中した荷重を受けて摩擦抵抗を高める一方、貫通孔部分で吸盤作用を発生させて、より一層のすべり防止を図ることができる。しかも、貫通孔は厚み方向に貫通しているので、凹みを形成する場合に比して防滑シートの厚みを薄く形成することが容易である。防滑シートが薄ければ、その分だけ重量物滑動具の厚みを薄く設定することができる。この結果、使用時に重量物を持ち上げる量を小さくできて作業が容易になる。
【００１４】
態様の他の一つは、上記凹部または貫通孔の開口面積が、１００ｍｍ２以下である。  
すなわち、凹部や貫通孔の大きさを小さくすることによって、重量物の脚部等を支える時に、多くの凹部や貫通孔が当たる（作用させる）ようにすることができる。作用する凹部や貫通孔の数が多ければそれだけ、上記のような滑り止め効果を高めることが可能である。
【００１５】
態様の他の一つは、上記凹部または貫通孔が、それぞれ独立して形成されたものである。  
すなわち、多数の凹部または貫通孔がそれぞれ独立しているので、上記吸盤作用を確実に利用でき、良好な滑り止め効果を得られる。
【００１６】
態様の他の一つは、上記凹部または貫通孔が、市松模様状に配置されたものである。なお、凹部または貫通孔の形状は正方形に限らずに、円形や三角形、多角形を含む適宜の形状に形成できる。  
すなわち、凹部または貫通孔は、平面視正方形や長方形状等に形成され、縦横に一つ飛びに間欠的に配置されている。このため、上記滑り止めの作用効果を確実に発揮するとともに、防滑シートの形態安定性が高いので、支持した重量物との間に捩れの力がかかっても滑りを発生させずに粘り強く支持状態を維持することができる。つまり、重量物を押しても移動が行え、重量物滑動具が長尺板状であっても好みの方向に移動ができる。つまり、自由度の高い所望の移動が可能である。
【００１７】
態様の他の一つは、上記滑動具本体が、自己潤滑性を有する単一の成形品からなるものである。  
すなわち、滑動具本体が一つの成形品からなり、この滑動具本体の上面に上記防滑シートが固定された構成であるので、きわめて簡素な構成で、しかも薄く形成できる。
【考案の効果】
【００１８】
以上のように、この考案によれば、支持した重量物が不測に滑ったりせずに安定して移動させることができる。
【考案を実施するための最良の形態】
【００１９】
この考案を実施するための一形態を、以下図面を用いて説明する。  
図１は、支持した（乗せた）重量物を滑動可能にして重量物の移動を容易にするための重量物滑動具１１（以下、滑動具という）の斜視図である。この図に示すように滑動具１１は、滑動具本体１２と、該滑動具本体１２の上面１２ａに固定される防滑シート１３とを有する長尺板状である。
【００２０】
上記滑動具本体１２は、自己潤滑性を有する一つの合成樹脂成形品からなる。合成樹脂としては、たとえばポリアセタールやポリイミド、ポリエチレン等の適宜の材料を用いることができる。
【００２１】
滑動具本体１２の形状は、両端部を丸く形成した長尺板状で、外周縁における下端部には、図２に示したようにテーパ面２１が形成されている。このテーパ面２１は、下面を擦って滑動を行うときに移動しやすくするためのものである。
【００２２】
滑動具本体１２の厚みは、薄いほうが好ましく、たとえば１０ｍｍ以下に設定される。より好ましくは、６〜８ｍｍほどに形成されるとよい。
【００２３】
また、長さ方向の一端部には、当該滑動具１１を引っ張るための紐（図示せず）を取付けるべく厚さ方向に貫通する透孔２２が形成されている。
【００２４】
このような構造の滑動具本体１２の上面１２ａに、上記防滑シート１３が固定されている。
【００２５】
防滑シート１３は、発泡樹脂製で、性質はつぎのとおりである。すなわち、硬さは指で押えれば容易に凹むくらいに柔軟であって、一度凹ませてもすぐには復元せずゆっくりと復元する低反発性を有する。
【００２６】
このような性質の防滑シート１３の形状は、図２に示したように表面上凹凸を有する薄いシート状である。具体的には、数ミリほどの厚みを有し、たてよこ数ミリの長方形状をなす多数の貫通孔３１（図３参照）が市松模様状に配置されている。すなわち、貫通孔３１と、そうではなくて略長方形板状をなす凸部３２とが縦横に一つ飛びに配設されており、各貫通孔３１…はそれぞれ独立している。
【００２７】
貫通孔３１の開口面積は、大きすぎないものがよく、一般的な家具の移動に供するものとしては開口面積が、１００ｍｍ２以下であるとよい。より好ましくは５〜２５ｍｍ２ほどに形成されるのがよい。家具の脚部を支持した時により多くの貫通孔３１を含む部分が、脚部によって圧縮変形させられる。
【００２８】
このような構造の防滑シート１３は、滑動具本体１２の幅よりも幅狭で滑動具本体１２よりも短い短冊状に形成され、両面テープや接着剤等の適宜手段により滑動具本体１２の上面１２ａに固定、一体化される。
【００２９】
以上のように構成された滑動具１１は、次のように使用される。  
すなわち、移動対象の重量物をジャッキなどによって若干持ち上げてから、滑動具１１を重量物の下に滑り込ませる。そして、透孔２２を利用して取付けた紐で滑動具１１を引っ張ったり、乗せた重量物を押したり、重量物を床等の接触面上で移動する。
【００３０】
滑動具１１の上に重量物を乗せると、図４に示したように、防滑シート１３は重量物４１の重みによって圧縮変形させられて重量物４１を支持する。このとき、防滑シート１３は発泡樹脂製であるので、樹脂の表面の摩擦特性に加えて、微細な凹凸や吸盤作用により、荷重がかかっている時には吸い付くような接触が可能になる。しかも、防滑シート１３が低反発性であるので、かかる荷重を反発せずに柔軟にしっかりと受けることができ、支持時の安定性が良好である。
【００３１】
そのうえ、貫通孔３１以外の部分、つまり凸部３２が集中した荷重を受けて摩擦抵抗を高める一方、貫通孔３１部分で吸盤作用を発生させて、より一層のすべり防止を図ることができる。上記吸盤作用は、多数の貫通孔３１がそれぞれ独立して形成されているため、確実に利用でき、より良好な滑り止め効果となる。
【００３２】
さらに、貫通孔３１は、長方形状に形成され、縦横に一つ飛びに間欠的に配置されているため、上記滑り止めの作用効果を確実に発揮するとともに、防滑シート１３の形態安定性が高く、支持した重量物との間に捩れの力がかかっても滑りを発生させずに粘り強く支持状態を維持することができる。
【００３３】
重量物４１は上述のように支持されるので、支持した重量物４１が不測に滑ったりせずに安定して移動を行うことができる。
【００３４】
また、支持状態が良好であるので、重量物４１を押しても移動が行え、滑動具１１が長尺板状であっても好みの方向に移動ができる。つまり、自由度の高い所望の移動が可能である。
【００３５】
さらに、防滑シート１３の貫通孔３１は厚み方向に貫通しているので、凹みを形成する場合に比して防滑シート１３の厚みを薄く形成することができる。防滑シート１３が薄ければ、その分だけ滑動具１１の厚みを薄く設定することができる。これに加えて、滑動具本体１２も自己潤滑性を有する単一の成形品で構成したので、滑動具全体の厚みをより薄く設定できる。この結果、使用時に重量物を持ち上げる量が小さくなって作業は容易である。
【００３６】
また、滑動具１１は使用後、重量物４１による荷重から開放されると、防滑シート１３が元の形状に復元する。このとき、防滑シート１３の表面にたとえ埃等が付着していても、防滑シート１３の復元時に相互の位置関係が変化するために埃等は外れる。または若しくは外れやすい状態になる。このため、繰り返して使用しても埃等が原因となって不測の滑りが発生するようなことを抑制でき、上述のような滑りのない安定した移動の作用効果を維持できる。
【００３７】
この考案の構成と、上記一形態の構成との対応において、  
この考案の凹凸は、上記一形態の貫通孔３１と凸部３２に対応するも、  
この発明は上記一形態の構成のみに限定されるものではない。
【００３８】
例えば、滑動具本体１２は、長尺板状のほか、例えば円形などその他の形状であるもよい。
【００３９】
また、防滑シートは、発泡ゴム製であるもよく、さらには、防滑塗料が表面に塗布されたり含有させられたりしたものであるもよい。
【図面の簡単な説明】
【００４０】
【図１】重量物滑動具の斜視図。
【図２】重量物滑動具の構造説明図。
【図３】図２におけるＡ−Ａ拡大断面図。
【図４】作用状態の説明図。
【符号の説明】
【００４１】
１１…重量物滑動具
１２…滑動具本体
１２ａ…上面
１３…防滑シート
３１…貫通孔
３２…凸部
４１…重量物
【図１】
0003115311.tif 000003
【図２】
0003115311.tif 000004
【図３】
0003115311.tif 000005
【図４】
0003115311.tif 000006